(57)【要約】【課題】仕様の異なるＰＯＳ端末に、対応するＶＧＢ  ＢＩＯＳを効率的に適用することが可能な情報処理装置、商品販売処理装置及びプログラムを提供する。【解決手段】表示装置を制御する情報処理装置であって、仕様の異なる複数のＶＧＡ  ＢＩＯＳを記憶する記憶手段と、前記表示装置を含む自装置の仕様を起動時に識別する識別手段と、前記識別手段が識別した仕様に対応するＶＧＡ  ＢＩＯＳを前記記憶手段から読み出し、主記憶装置に展開する展開手段と、を備える。【選択図】図５
2015035086.tif 000002
【特許請求の範囲】
【請求項１】
表示装置を制御する情報処理装置であって、
仕様の異なる複数のＶＧＡ  ＢＩＯＳを記憶する記憶手段と、
前記表示装置を含む自装置の仕様を起動時に識別する識別手段と、
前記識別手段が識別した仕様に対応するＶＧＡ  ＢＩＯＳを前記記憶手段から読み出し、主記憶装置に展開する展開手段と、
を備える情報処理装置。
【請求項２】
前記識別手段は、前記表示装置の画面サイズを、前記自装置の仕様として識別する請求項１に記載の情報処理装置。
【請求項３】
前記識別手段は、自装置が搭載するオペレーティングシステムの種別を、前記自装置の仕様として識別する請求項１又は２に記載の情報処理装置。
【請求項４】
前記記憶手段は、汎用のＶＧＡ  ＢＩＯＳを更に記憶し、
前記展開手段は、前記識別手段が識別した仕様に対応するＶＧＡ  ＢＩＯＳが前記記憶手段に存在しない場合に、前記汎用のＶＧＡ  ＢＩＯＳを前記主記憶装置に展開する請求項１〜３の何れか一項に記載の情報処理装置。
【請求項５】
オペレータ用の第１表示装置と、客用の第２表示装置とを制御する商品販売処理装置であって、
仕様の異なる複数のＶＧＡ  ＢＩＯＳを記憶する記憶手段と、
前記第１表示装置及び前記第２表示装置を含む自装置の仕様を起動時に識別する識別手段と、
前記識別手段が識別した仕様に対応するＶＧＡ  ＢＩＯＳを前記記憶手段から読み出し、主記憶装置に展開する展開手段と、
を備える商品販売処理装置。
【請求項６】
表示装置を制御するコンピュータを、
前記表示装置を含む自装置の仕様を起動時に識別する識別手段と、
仕様の異なる複数のＶＧＡ  ＢＩＯＳを記憶する記憶手段から、前記識別手段が識別した仕様に対応するＶＧＡ  ＢＩＯＳを読み出し、主記憶装置に展開する展開手段と、
して機能させるためのプログラム。
【発明の詳細な説明】
【技術分野】
【０００１】
本発明の実施形態は、情報処理装置、商品販売処理装置及びプログラムに関する。
【背景技術】
【０００２】
従来、ＰＣ（Personal  Computer)等の情報処理装置では、接続される液晶等のディスプレイの表示制御に、ＶＧＡ  ＢＩＯＳを用いている。係るＶＧＡ  ＢＩＯＳは、情報処理装置が搭載するＢＩＯＳ  ＲＯＭに格納され、ディスプレイの表示機能を制御するための命令を含んでいる。情報処理装置は、起動の際に行うメモリの初期化時に、ＶＧＡ  ＢＩＯＳをメモリに読み出すことにより展開する。その後、情報処理装置は、メモリに展開されたＶＧＡ  ＢＩＯＳに含まれる表示仕様設定命令の中から各種処理の命令を参照し、当該処理命令に従って表示制御を行う。
【０００３】
また、商品販売店等で使用されるＰＯＳ（Point  Of  Sales）端末においても、商品情報等の各種情報の表示がディスプレイを用いて行われている。係るＰＯＳ端末では、搭載するディスプレイの画面サイズに複数のタイプが存在している。
【０００４】
ところで、ＢＩＯＳ  ＲＯＭには、１つのＶＧＡ  ＢＩＯＳしか格納されないため、組み合わせの異なる機種毎に、その仕様に対応するＶＧＡ  ＢＩＯＳをＢＩＯＳ  ＲＯＭに書き込まなければならない。そこで、従来、メモリに展開されたＶＧＡ  ＢＩＯＳのパラメータを更新することで、仕様の異なるディスプレイの表示を制御する技術が提案されている。
【０００５】
しかしながら、従来の技術では、メモリに展開されたパラメータを書き換えるため、メモリ上でのアドレス管理等が必要となり、処理が煩雑化する可能性がある。そのため、仕様の異なるＰＯＳ端末に、対応するＶＧＢ  ＢＩＯＳを効率的に適用することが可能な技術が要求されている。
【発明の概要】
【発明が解決しようとする課題】
【０００６】
本発明が解決しようとする課題は、仕様の異なるＰＯＳ端末に、対応するＶＧＢ  ＢＩＯＳを効率的に適用することが可能な情報処理装置、商品販売処理装置及びプログラムを提供することである。
【課題を解決するための手段】
【０００７】
実施の形態の情報処理装置は、表示装置を制御する情報処理装置であって、記憶手段と、識別手段と、展開手段とを備える。記憶手段は、仕様の異なる複数のＶＧＡ  ＢＩＯＳを記憶する。識別手段は、前記表示装置を含む自装置の仕様を起動時に識別する。展開手段は、前記識別手段が識別した仕様に対応するＶＧＡ  ＢＩＯＳを前記記憶手段から読み出し、主記憶装置に展開する。
【図面の簡単な説明】
【０００８】
【図１】図１は、実施形態に係る情報処理装置の一例として、ＰＯＳ端末の概観を例示する図である。
【図２】図２は、図１に示したＰＯＳ端末の内部構成を例示する図である。
【図３】図３は、図２に示したＲＯＭが記憶するＶＧＡ  ＢＩＯＳの状態を模式的に示す図である。
【図４】図４は、図３に示した各ＶＧＡ  ＢＩＯＳと、対応する仕様との関係の一例を示す図である。
【図５】図５は、ＶＧＡ  ＢＩＯＳ展開処理の手順の一例を示すフローチャートである。
【図６】図６は、ＶＧＡ  ＢＩＯＳ展開処理の手順の他の例を示すフローチャートである。
【発明を実施するための形態】
【０００９】
以下に添付図面を参照して、この発明に係る情報処理装置、商品販売処理装置及びプログラムの実施形態を詳細に説明する。
【００１０】
図１は、本実施形態にかかる情報処理装置の一例として、ＰＯＳ端末の概観を例示する図である。ＰＯＳ端末１は、現金等を収容するためのドロワ２の上に載置されており、このドロワ２の引出し２ａの開閉を制御する。ＰＯＳ端末１には、正面側にオペレータが預かり金額等を入力するためのキーボード３等が設けられている。
【００１１】
また、ＰＯＳ端末１の正面側には、オペレータ用の第１ディスプレイ４が接続され、背面側に客用の第２ディスプレイ５が接続される。また、レシート及びジャーナルを印字するプリンタ６が内蔵されており、このプリンタ６によって印字されたレシートがＰＯＳ端末１の正面側に形成されたレシート発行口７から発行される。またＰＯＳ端末１には、商品の販売登録の際に商品ラベルに印刷されたバーコードを読取るためのコードスキャナ８が接続されている。
【００１２】
第１ディスプレイ４及び第２ディスプレイ５は、バックライトを備えた液晶カラーディスプレイ等で構成され、販売登録された商品の品名及び価格や、１取引の合計金額や釣銭額等を表示する。
【００１３】
図２は、ＰＯＳ端末１の内部構成について、本実施形態にかかる部分を例示する図である。同図に示すようにＰＯＳ端末１は、ＣＰＵ（Central  Processing  Unit）１０１と、主記憶装置であるＤＲＡＭ（Dynamic  Random  Access  Memory）１０２と、ＲＯＭ（Read  Only  Memory）１０３と、ＨＤＤ（Hard  Disk  Drive）１０４と、Ｋ／Ｂ(key  Board)コントローラ１０５と、ＶＧＡコントローラ１０６とを備える。また、ＰＯＳ端末１には、ＶＧＡコントローラ１０６を介して第１ディスプレイ４及び第２ディスプレイ５が接続される。
【００１４】
ＲＯＭ１０３には、ＭＡＩＮ  ＢＩＯＳや複数のＶＧＡ  ＢＩＯＳ等の各種プログラムが記憶されている。
【００１５】
ＭＡＩＮ  ＢＩＯＳは、ＰＯＳ端末１を動作させるための処理命令（プログラム）を含む。ＭＡＩＮ  ＢＩＯＳは、例えば、ＡＣＰＩ  ＢＩＯＳやＰＣＩ  ＢＩＯＳ、ＳＭ  ＢＩＯＳ等を含む。また、ＭＡＩＮ  ＢＩＯＳは、後述するＶＧＡ  ＢＩＯＳ展開処理を実行するための処理命令（プログラム）を含む。
【００１６】
ＶＧＡ  ＢＩＯＳは、第１ディスプレイ４及び第２ディスプレイ５の表示制御の係る処理命令（プログラム）を含む。表示制御の係る処理命令とは、例えば、表示サイズや解像度を設定する処理に関する処理命令や、輝度を設定する処理に関する処理命令、バックライトの制御に関する処理命令等である。ＶＧＡ  ＢＩＯＳは、予め複数個ＲＯＭ１０３に記憶されている。
【００１７】
図３は、ＲＯＭ１０３が記憶するＶＧＡ  ＢＩＯＳの状態を模式的に示す図である。同図では、ＲＯＭ１０３が４つのＶＧＡ  ＢＩＯＳ１１〜１４を記憶した例を示している。ここで、ＶＧＡ  ＢＩＯＳ１１〜１４の各々は、図４に示すように、互いに異なる仕様に対応する表示制御の係る処理命令を含んでいる。
【００１８】
図４は、図３に示した各ＶＧＡ  ＢＩＯＳと、対応する仕様との関係の一例を示す図である。例えば、ＶＧＡ  ＢＩＯＳ１１は、ＯＳ（オペレーティングシステム）の種別が“ＯＳ１”、第１ディスプレイ４の画面サイズが“Ｓｉｚｅ１１”、第２ディスプレイ５の画面サイズが“Ｓｉｚｅ２１”の仕様に対応するものである。また、ＶＧＡ  ＢＩＯＳ１２は、ＯＳの種別が“ＯＳ１”、第１ディスプレイ４の画面サイズが“Ｓｉｚｅ１２”、第２ディスプレイ５の画面サイズが“Ｓｉｚｅ２２”の仕様に対応するものである。
【００１９】
ここで、ＯＳの種別は、ソフトウェア自体の種別やバージョンの違い等を意味する。また、画面サイズは、表示領域の実サイズやアスペクト比、表示可能な画面解像度等を意味する。
【００２０】
なお、ＲＯＭ１０３へのＶＧＡ  ＢＩＯＳの書き込み方法は特に問わず、公知の技術を用いるものとする。また、ＲＯＭ１０３に書き込むＶＧＡ  ＢＩＯＳの個数は、複数個であれば特に問わないものとする。また、ＰＯＳ端末１の仕様に依存しない汎用のＶＧＡ  ＢＩＯＳを含めてＲＯＭ１０３に記憶する形態としてもよい。
【００２１】
ＨＤＤ１０４は、ＰＯＳ端末１のＯＳや各種プログラム、各種データを記憶する。Ｋ／Ｂコントローラ１０５は、キーボード３において入力された操作に対応した信号を取込み、ＣＰＵ１０１に供給する。
【００２２】
ＶＧＡコントローラ１０６は、ＤＲＡＭ１０２に展開されたＶＧＡ  ＢＩＯＳの第１ディスプレイ４に係る命令に基づいて、第１ディスプレイ４の駆動を制御する。係る制御により、ＶＧＡコントローラ１０６は、ＣＰＵ１０１から供給される表示データに対応した文字等を、第１ディスプレイ４に表示させる。
【００２３】
また、ＶＧＡコントローラ１０６は、ＤＲＡＭ１０２に展開されたＶＧＡ  ＢＩＯＳの第２ディスプレイ５に係る命令に基づいて、第２ディスプレイ５の駆動を制御する。係る制御により、ＶＧＡコントローラ１０６は、ＣＰＵ１０１から供給される表示データに対応した文字等を、第２ディスプレイ５に表示させる。
【００２４】
次に、ＣＰＵ１０１が、ＲＯＭ１０３に記憶されたＭＡＩＮ  ＢＩＯＳを実行することにより実現される、ＶＧＡ  ＢＩＯＳの展開に係る機能について説明する。
【００２５】
ＣＰＵ１０１は、ＰＯＳ端末１の起動に伴いＭＡＩＮ  ＢＩＯＳを実行することで、識別手段、展開手段としての機能を実現する。具体的には、ＣＰＵ１０１は、自装置の起動時において、ＨＤＤ１０４に記憶されたＯＳの種別と、第１ディスプレイ４及び第２ディスプレイ５の画面サイズとを示す情報を取得することで、自装置の仕様を識別する（識別手段）。
【００２６】
また、ＣＰＵ１０１は、自装置の仕様（ＯＳ及び画面サイズ）に対応するＶＧＡ  ＢＩＯＳをＲＯＭ１０３から特定し、展開対象に設定する。そして、ＣＰＵ１０１は、展開対象のＶＧＡ  ＢＩＯＳをＲＯＭ１０３からＤＲＡＭ１０２に読み出すことで展開する（展開手段）。これらの処理（ＶＧＡ  ＢＩＯＳ展開処理）の詳細を以下に説明する。
【００２７】
次に、ＰＯＳ端末１が行うＶＧＡ  ＢＩＯＳ展開処理の手順の一例について、図５を用いて説明する。ここで、図５は、ＶＧＡ  ＢＩＯＳ展開処理の手順の一例を示すフローチャートである。なお、本処理は、ＭＡＩＮ  ＢＩＯＳの実行により実現されるものである。
【００２８】
図示しない電源ボタンのオン等により自装置が起動されると、ＣＰＵ１０１は、自装置のＯＳ及び画面サイズの仕様を識別する（ステップＳ１１）。続いて、ＣＰＵ１０１は、ＲＯＭ１０３に記憶されたＶＧＡ  ＢＩＯＳのうち、自装置の仕様に対応するＶＧＡ  ＢＩＯＳを特定し、展開対象に設定する（ステップＳ１２）。そして、ＣＰＵ１０１は、展開対象に設定したＶＧＡ  ＢＩＯＳをＲＯＭ１０３からＤＲＡＭ１０２に読み出すことで、ＤＲＡＭ１０２に展開し（ステップＳ１３）、本処理を終了する。
【００２９】
上記処理の後、ＰＯＳ端末１の起動が完了すると、ＶＧＡコントローラ１０６は、ＤＲＡＭ１０２に展開されたＶＧＡ  ＢＩＯＳに基づき、第１ディスプレイ４及び第２ディスプレイ５の駆動を制御する。
【００３０】
以上のように、本実施形態では、仕様の異なる複数のＶＧＡ  ＢＩＯＳを記憶するＲＯＭ１０３から、ＰＯＳ端末１の仕様に対応するＶＧＡ  ＢＩＯＳを読み出し、ＤＲＡＭ１０２に展開する。これにより、ＰＯＳ端末１では、自装置の仕様に適したＶＧＡ  ＢＩＯＳを用いて表示を制御することができる。このような構成によれば、仕様の異なるＰＯＳ端末１に、対応するＶＧＢ  ＢＩＯＳを効率的に適用することができる。
【００３１】
なお、ＲＯＭ１０３が汎用のＶＧＡ  ＢＩＯＳを記憶し、且つＰＯＳ端末１の仕様に対応するＶＧＡ  ＢＩＯＳが存在しない場合には、汎用のＶＧＡ  ＢＩＯＳを展開する形態としてもよい。この形態を採用する場合、ＣＰＵ１０１（展開手段）は、自装置の仕様に対応するＶＧＡ  ＢＩＯＳがＲＯＭ１０３に存在しない場合に、汎用のＶＧＡ  ＢＩＯＳをＤＲＡＭ１０２に展開する。以下、この形態でのＶＧＡ  ＢＩＯＳ展開処理の手順を他の例として、図６を用いて説明する。
【００３２】
図６は、ＶＧＡ  ＢＩＯＳ展開処理の手順の他の例を示すフローチャートである。なお、本処理は、図５のＶＧＡ  ＢＩＯＳ展開処理と同様、ＭＡＩＮ  ＢＩＯＳの実行により実現されるものである。
【００３３】
図示しない電源ボタンのオン等により自装置が起動されると、ＣＰＵ１０１は、ＲＯＭ１０３に記憶された汎用のＶＧＡ  ＢＩＯＳを、展開対象に設定する（ステップＳ２１）。次に、ＣＰＵ１０１は、自装置のＯＳ及び画面サイズの仕様を識別する（ステップＳ２２）。
【００３４】
次いで、ＣＰＵ１０１は、自装置の仕様に対応するＶＧＡ  ＢＩＯＳが、ＲＯＭ１０３に存在するか否かを判定する（ステップＳ２３）。ここで、存在すると判定した場合には（ステップＳ２３；Ｙｅｓ）、ＣＰＵ１０１は、そのＶＧＡ  ＢＩＯＳを展開対象に設定する（ステップＳ２４）。
【００３５】
続いて、ＣＰＵ１０１は、展開対象に設定したＶＧＡ  ＢＩＯＳをＲＯＭ１０３からＤＲＡＭ１０２に読み出すことで、ＤＲＡＭ１０２に展開し（ステップＳ２５）、本処理を終了する。
【００３６】
なお、ステップＳ２３で存在しないと判定した場合（ステップＳ２３；Ｎｏ）、ＣＰＵ１０１は、ステップＳ２５に直ちに移行する。そして、ＣＰＵ１０１は、ステップＳ２５において、ステップＳ２１で展開対象に設定した汎用のＶＧＡ  ＢＩＯＳをＤＲＡＭ１０２に展開し、処理を終了する。
【００３７】
これにより、ＰＯＳ端末１の仕様に対応するＶＧＡ  ＢＩＯＳが存在しない場合であっても、汎用のＶＧＡ  ＢＩＯＳを用いて表示を制御することができる。また、この構成によれば、ディスプレイの表示機能を確保することができるため、利便性を向上させることができる。
【００３８】
なお、上記の処理では、最初のステップＳ２１で汎用のＶＧＡ  ＢＩＯＳを展開対象に設定したが、これに限らず、ステップＳ２３で存在しないと判定した後に設定してもよい。
【００３９】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加、組み合わせ等を行うことができる。また、上記実施形態やその変形は、発明の範囲や要旨に含まれるとともに、特許請求の範囲に記載された発明とその均等の範囲に含まれる。
【００４０】
例えば、上記実施形態では、ＰＯＳ端末１の仕様として、ＯＳの種別と、第１ディスプレイ４及び第２ディスプレイ５の画面サイズとを識別したが、何れか一方を識別する形態としてもよい。また、ＶＧＡ  ＢＩＯＳの仕様定義に応じて、ＰＯＳ端末１が有するハードウェア及びソフトウェアに係る他の仕様を識別する形態としてもよい。
【００４１】
また、上記実施形態では、ＰＯＳ端末１が第１ディスプレイ４及び第２ディスプレイ５の、２つのディスプレイを備える構成としたが、ディスプレイの個数は特に問わないものとする。例えば、ＰＯＳ端末１が１つのディスプレイを備える構成としてもよいし、３以上のディスプレイを備える構成としてもよい。
【００４２】
また、上述実施形態では、ＶＧＡ  ＢＩＯＳ展開処理に関する処理命令は、ＭＡＩＮ  ＢＩＯＳに含まれるものとしたが、これに限らないものとする。例えば、ＭＡＩＮ  ＢＩＯＳやＶＧＡ  ＢＩＯＳとは別に、ＲＯＭ１０３に記憶してもよい。また、ＲＯＭ１０３とは異なる他の記憶装置に記憶してもよい。
【００４３】
また、上記実施形態のＰＯＳ端末１で実行されるプログラムは、記憶媒体（ＲＯＭ１０３又はＨＤＤ１０４）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００４４】
また、上記実施形態の各装置で実行されるプログラムをインターネット等のネットワークに接続されたコンピュータ上に格納し、ネットワーク経由でダウンロードさせることで提供する構成としてもよい。また、上記実施形態の各装置で実行されるプログラムを、インターネット等のネットワーク経由で配布する構成としてもよい。
【００４５】
また、上記実施形態のプログラムを、ＰＣやスマートフォン、タブレット端末等の情報処理装置に組み込んで、その機能を実現させる形態としてもよい。
【符号の説明】
【００４６】
１  ＰＯＳ端末
２  ドロワ
３  キーボード
４  第１ディスプレイ
５  第２ディスプレイ
６  プリンタ
７  レシート発行口
８  コードスキャナ
１０１  ＣＰＵ
１０２  ＤＲＡＭ
１０３  ＲＯＭ
１０４  ＨＤＤ
１０５  Ｋ／Ｂコントローラ
１０６  ＶＧＡコントローラ
【先行技術文献】
【特許文献】
【００４７】
【特許文献１】特開平８−２４１２６１号公報
【図１】
2015035086.tif 000003
【図２】
2015035086.tif 000004
【図３】
2015035086.tif 000005
【図４】
2015035086.tif 000006
【図５】
2015035086.tif 000007
【図６】
2015035086.tif 000008